(57)【要約】【課題】パネル端片部の厚みを小さく抑えても、補強型材を簡単且つ確実に装着固定することができ、十分な強度が得られる壁パネル端部構造を提供する。【解決手段】壁パネル本体１の側端縁に後方へ折曲突出したパネル端片部２を形成し、前方へ開口した断面略コ字状の補強型材３をパネル端片部２に装着固定してなる壁パネル端部構造において、スペーサブロック４の外側面４ｂに係止凹所５を形成し、パネル端片部２の内側に係止凸片６を突設し、係止凸片６を係止凹所５に係合させてパネル端片部２の内側にスペーサブロック４を当接させ、スペーサブロック４の後端部分４ａをパネル端片部２の後端縁２ａよりも後方へ突出させた状態で、パネル端片部２とスペーサブロック４とを両側から挟持するように補強型材３を後方から装着固定した。【選択図】          図１
2005009229.tif 000002
【特許請求の範囲】
【請求項１】
壁パネル本体の側端縁に後方へ折曲突出したパネル端片部を形成し、前方へ開口した断面略コ字状の補強型材を同パネル端片部に後方から装着固定してなる壁パネル端部構造であって、パネル端片部の内側に当接されるスペーサブロックを備え、このスペーサブロックの外側面に係止凹所を形成し、同パネル端片部の内側に係止凸片を突設し、係止凸片を係止凹所に係合させてパネル端片部の内側に同スペーサブロックを当接させ、このスペーサブロックの後端部分を同パネル端片部の後端縁よりも後方へ突出した状態として、このパネル端片部とスペーサブロックとを両側から挟持するように補強型材を同パネル端片部に後方から装着固定してなる壁パネル端部構造。
【請求項２】
金属製の壁パネル本体の側端縁に折曲加工を施して、パネル端片部及び係止凸片を同壁パネル本体と一体に形成したことを特徴とする請求項１記載の壁パネル端部構造。
【請求項３】
パネル端片部の後端縁部分を内側前方へ折り返して、内側へ略山型に折曲突出する係止凸片を形成したことを特徴とする請求項２記載の壁パネル端部構造。
【請求項４】
補強型材をその後方から挿通されてスペーサブロックにねじ込まれる結合ネジで固定したことを特徴とする請求項１〜３のいずれか一つに記載の壁パネル端部構造。
【発明の詳細な説明】
【０００１】
【発明の属する技術分野】
本願発明は、ユニットルームの壁パネルとドア枠との接合部位等における同壁パネルの端部構造であって、具体的には、壁パネル本体の側端縁に後方へ折曲突出したパネル端片部を形成し、前方へ開口した断面略コ字状の補強型材を同パネル端片部に後方から装着固定してなる壁パネル端部構造に関するものである。
【０００２】
【従来の技術】
従来、この種の壁パネル端部構造は、図４、５に示す如く、壁パネル本体１の側端縁に後方へ折曲突出したパネル端片部２を形成し、前方へ開口した断面略コ字状の補強型材３を同パネル端片部２に後方から装着固定してなり、ユニットバスルームの壁パネルとドア枠１０との接合部位に施工されていた。この場合、壁パネル本体１の前方側の表面がバスルームの室内側面となり、このバスルームへの出入口は同壁パネル本体１の側方に並設配置され、同出入口に開閉自在なドアを備えるドア枠１０が設置されるものである。
【０００３】
又、壁パネル本体１は樹脂被覆鋼板でなり、その側端縁部分を後方内側前方へと略コ字状に折曲することでパネル端片部２が一体に形成されている。補強型材３は金属製の断面略コ字型材でなり、前記パネル端片部２に後方から装着固定されてこのパネル端片部２を補強するものである。その際、パネル端片部２に補強型材３は嵌合装着され、その後方から挿通される結合ネジ７によって同パネル端片部２に固定される。そして、補強型材３によって補強されたパネル端片部２の側方にドア枠１０が立設接合され、ネジ等の結合具でこのドア枠１０は同パネル端片部２に結合固定されて十分な接合固定強度が得られる。
【０００４】
しかしながら、この場合、パネル端片部２は補強型材３が嵌合装着されるようにこの補強型材３と適合する略コ字状に折曲形成されていて、壁パネル本体１の後方へと大きく突出ものとなっている。そのため、壁パネル本体１は厚くて嵩張るものとなり、そのパネル端片部２での加工費や材料費が高くなってコスト面での改良も望まれていた。そこで、パネル端片部２の後方への突出量を小さく抑えたいところであるが、補強型材３は、ドア枠１０が十分な接合固定強度で結合固定されるためには断面略コ字状で且つある程度の大きさが必要で、この補強型材３を突出量の小さくなった同パネル端片部２には嵌合装着することができなくなってしまうことから、同突出量は小さく抑えられないのが現状である。
【０００５】
又、特開平８−３０３１２１号公報には、「ユニットルームにおけるドア枠の接続構造」として、壁パネル本体の側方に接続ピースを介してドア枠を接続固定した構造が示されている。しかしながら、この接続構造にあっては、断面略コ字状で且つある程度の大きさを有する前記補強型材３のような部材が存在せず、十分な接合固定強度は期待できないものである。
【０００６】
【特許文献１】
特開平８−３０３１２１号公報
【０００７】
【発明が解決しようとする課題】
上記の如く、従来にあっては、パネル端片部の後方への突出量が小さくて、十分な接合固定強度も得られる壁パネル端部構造は存在しないものであった。本願発明は、上記従来の技術に鑑みて発明されたものであり、その課題は、パネル端片部の厚みを小さく抑えることができ、このパネル端片部を断面略コ字状の補強型材で十分に補強することができ、しかも、同補強型材を簡単且つ確実に装着固定することのできる壁パネル端部構造を提供することである。
【０００８】
【課題を解決するための手段】
上記課題を解決するために、本願発明は、壁パネル本体の側端縁に後方へ折曲突出したパネル端片部を形成し、前方へ開口した断面略コ字状の補強型材を同パネル端片部に後方から装着固定してなる壁パネル端部構造であって、パネル端片部の内側に当接されるスペーサブロックを備え、このスペーサブロックの外側面に係止凹所を形成し、同パネル端片部の内側に係止凸片を突設し、係止凸片を係止凹所に係合させてパネル端片部の内側に同スペーサブロックを当接させ、このスペーサブロックの後端部分を同パネル端片部の後端縁よりも後方へ突出した状態として、このパネル端片部とスペーサブロックとを両側から挟持するように補強型材を同パネル端片部に後方から装着固定してなるものである。
【０００９】
したがって、この場合、断面略コ字状の補強型材がパネル端片部に装着固定されるので、このパネル端片部は同補強型材によって十分に補強される。又、その際、パネル端片部の内側に当接されるスペーサブロックを備え、このスペーサブロックの後端部分がパネル端片部の後端縁よりも後方へ突出した状態で、このパネル端片部とスペーサブロックとを両側から挟持するように補強型材は同パネル端片部に後方から装着固定されるので、このパネル端片部の後方への突出量が小さく抑えられたものでありながら、同補強型材の前後方向寸法は大きくてその強度が確保される。
【００１０】
しかも、スペーサブロックの外側面に形成された係止凹所にパネル端片部の内側に突設された係止凸片が係合されて、このパネル端片部の内側に同スペーサブロックは当接され、この状態で、補強型材が同パネル端片部とスペーサブロックとを両側から挟持するように後方から装着固定されるので、補強型材を後方へ抜き外さない限りは係止凸片と係止凹所とが係合してスペーサブロックは固定されている。このように、スペーサブロックはパネル端片部における強度のための前後方向厚みを補足するものであり、パネル端片部と補強型材との間に介在して両者を結合固定するものでありながら、同補強型材を装着固定するだけで簡単にこれ等三者が結合一体化されて確実に固定される。
【００１１】
【発明の実施の形態】
図１〜３は、本願の請求項１〜４全てに対応した一実施形態である壁パネル端部構造を示している。この実施形態の壁パネル端部構造は、壁パネル本体１の側端縁に後方へ折曲突出したパネル端片部２を形成し、前方へ開口した断面略コ字状の補強型材３を同パネル端片部２に後方から装着固定してなるものである。
【００１２】
この実施形態の壁パネル端部構造では、パネル端片部２の内側に当接されるスペーサブロック４を備えている。又、スペーサブロック４の外側面４ｂに係止凹所５を形成し、パネル端片部２の内側に係止凸片６を突設している。そして、係止凸片６を係止凹所５に係合させてパネル端片部２の内側にスペーサブロック４を当接させ、このスペーサブロック４の後端部分４ａを同パネル端片部２の後端縁２ａよりも後方へ突出した状態として、このパネル端片部２とスペーサブロック４とを両側から挟持するように補強型材３を同パネル端片部２に後方から装着固定している。
【００１３】
又、この実施形態の壁パネル端部構造では、金属製の壁パネル本体１の側端縁に折曲加工を施して、パネル端片部２及び係止凸片６を同壁パネル本体１と一体に形成している。この場合、パネル端片部２の後端縁部分を内側前方へ折り返して、内側へ略山型に折曲突出する係止凸片６を形成してもいる。更に、補強型材３をその後方から挿通されてスペーサブロック４にねじ込まれる結合ネジ７で固定している。
【００１４】
以下、この実施形態の壁パネル端部構造を、より具体的詳細に説明する。壁パネル本体１は樹脂被覆鋼板でなり、ユニットバスルームの壁パネルとして施工されるものである。それ故、壁パネル本体１の後方側の裏面略全面には、バスルーム内を保温するための断熱材８が付設されている。この場合、断熱材８は樹脂発泡体や繊維板等でなり、この断熱材８の厚み寸法と略等しいか若干小さい寸法にして、壁パネル本体１の側端縁からパネル端片部２が後方へ突出されており、この壁パネル本体１は全体として薄くて嵩張らないものとなっている。
【００１５】
そして、図２に示す如く、壁パネル本体１はユニットバスルームの床部位を構成する床パン９の周縁部分に立設施工され、その前方側の表面がバスルームの室内側面となり同床パン９側に向いている。又、この実施形態の壁パネル端部構造は、図３に示す如く、ドア枠１０との接合部位に施工されるもので、この場合、バスルームへの出入口は壁パネル本体１の側方に並設配置され、この出入口に開閉自在なドアを備えるドア枠１０が設置されるものである。その際、ドア枠１０の内周側から挿通される固定ネジ１１により、壁パネル端部構造に対して同ドア枠１０が結合固定される。
次に、この実施形態の壁パネル端部構造に用いられる各構成部材について説明する。壁パネル本体１は前記の如く樹脂被覆鋼板でなり、その両側端縁に後方へ折曲突出したパネル端片部２が一体に折曲形成されている。パネル端片部２の後端縁２ａには、内側前方へと略く字状に折り返されて内側へ折曲突出する略山型の係止凸片６が延設されており、この係止凸片６は同パネル端片部２と共に壁パネル本体１の側端縁略全長に折曲プレス加工が施されて簡単に一体成形される。
【００１６】
スペーサブロック４は樹脂一体成形品であり、前記壁パネル本体１の側端縁の略全長にわたる長さ寸法に形成されている。図１に示す如く、スペーサブロック４の断面形状は略矩形状で、その前後方向の寸法は前記パネル端片部２の後方への突出寸法よりも大きく形成され、その内外方向の寸法は前記係止凸片６の内側への突出寸法よりも大きく形成され、このスペーサブロック４の内外方向の寸法が後記補強型材３の内巾寸法と略等しく設定されている。そして、スペーサブロック４の後端部分４ａの両側角部分は面取り状に形成されており、後記補強型材３が嵌合装着され易いようになっている。
【００１７】
又、スペーサブロック４の外側面４ｂには、その前端付近に断面略Ｖ字状で溝型の係止凹所５が全長にわたって形成されており、この係止凹所５は前記略山型の係止凸片６と略合致する形状である。そして、スペーサブロック４の前端面が前記壁パネル本体１の後方裏面に当接された状態で、係止凹所５は係止凸片６にその内側側方から係合され、同スペーサブロック４の外側面４ｂが前記パネル端片部２の外面と略面一状に連設れさる。
【００１８】
補強型材３は前方へ開口した断面略コ字状の鋼製の金属型材で、前記スペーサブロック４と同様に壁パネル本体１の側端縁の略全長にわたる長さ寸法に形成されている。補強型材３は両側片部３ａ、３ｂとこの両側片部３ａ、３ｂ間の中後片部３ｃとでなり、内側の側片部３ｂが壁パネル本体１の後方裏面に当接する程度の前後方向寸法に形成され、外側の側片部３ａは同内側の側片部３ｂよりも前後方向寸法が短く前記パネル端片部２の外面に当接されるように形成されている。
【００１９】
又、補強型材３の内部スペース形状は前記スペーサブロック４の外形状と略合致する形状に形成されており、前記の如く、係止凸片６を係止凹所５に係合させてパネル端片部２の内側にスペーサブロック４を当接させた状態で、このスペーサブロック４と同パネル端片部２とを両側から挟持するように同補強型材３は後方から嵌合装着される。そして、補強型材３の中後片部３ｃには複数の固定用孔１２が穿設されており、各固定用孔１２から挿通される結合ネジ７がスペーサブロック４にねじ込み結合されることにより、このスペーサブロック４を介して同補強型材３はパネル端片部２に長手方向の複数個所で強固に結合固定される。
【００２０】
又、補強型材３の外側の側片部３ａには大径孔１３が穿設され、内側の側片部３ｂには小径孔１４が各々穿設されており、前記スペーサブロック４の内側面４ｃには同小径孔１４と対応する位置に長手方向全長にわたるＶ字溝１５が形成されている。そして、図３に示す如く、壁パネル本体１の側方に立設接合されるドア枠１０の内周側から固定ネジ１１が挿通され、この固定ネジ１１が補強型材３の前記大径孔１３を貫通してスペーサブロック４にねじ込まれることにより、壁パネル端部構造に対して同ドア枠１０は強固に結合固定される。
【００２１】
したがって、この実施形態の壁パネル端部構造においては、金属製で断面略コ字状の補強型材３がパネル端片部２に装着固定されるので、このパネル端片部２は同補強型材３によって十分に補強される。又、その際、スペーサブロック４の後端部分４ａがパネル端片部２の後端縁２ａよりも後方へ突出した状態で、このパネル端片部２とスペーサブロック４とを両側から挟持するように補強型材３は同パネル端片部２に後方から装着固定されるので、このパネル端片部２の後方への突出量が小さく抑えられて壁パネル本体１も全体として薄く形成されたものでありながら、同補強型材３の前後方向寸法は大きくてその強度が確保される。
【００２２】
しかも、スペーサブロック４の外側面４ｂに形成された係止凹所５にパネル端片部２の内側に突設された係止凸片６が係合されて、このパネル端片部２の内側に同スペーサブロック４は当接され、この状態で、前記の如く、補強型材３が同パネル端片部２とスペーサブロック４とを両側から挟持するように後方から装着固定されるので、補強型材３を後方へ抜き外さない限りは係止凸片６と係止凹所５とが係合してスペーサブロック４は固定されている。
【００２３】
このように、スペーサブロック４はパネル端片部２における強度のための前後方向厚みを補足するものであり、パネル端片部２と補強型材３との間に介在して両者を結合固定するものでありながら、同補強型材３を装着固定するだけで簡単にこれ等三者が結合一体化されて確実に固定される。それ故、パネル端片部２とスペーサブロック４とが係止凸片６と係止凹所５とで相互に係合されて、両者はこの係合だけでも位置決め固定されるため、補強型材３を簡単且つ確実に装着固定することができる。
【００２４】
又、この実施形態の壁パネル端部構造においては、金属製の壁パネル本体１の側端縁に折曲加工を施して、パネル端片部２及び係止凸片６が同壁パネル本体１と一体に形成されているため、これ等パネル端片部２、係止凸片６の成形加工は容易なものとなっている。しかも、この場合に、パネル端片部２の後端縁部分を内側前方へ折り返して、内側へ略山型に折曲突出する係止凸片６が形成されているため、この係止凸片６は変形し難く、且つ、スペーサブロック４の係止凹所５が内側側方からスムーズに係合される形状となっている。
【００２５】
更に、この実施形態の壁パネル端部構造においては、補強型材３がその後方から挿通されてスペーサブロック４にねじ込まれる結合ネジ７で固定されているため、この結合ネジ７による固定作業は後方から容易に行われ、同補強型材３とスペーサブロック４とが強固に結合されて、両者はパネル端片部２に対し後方へ抜け外れないよう確実に結合固定される。
【００２６】
なお、上記実施形態の壁パネル端部構造においては、スペーサブロック４が壁パネル本体１の側端縁の略全長にわたる長さ寸法に形成されており、合成樹脂の押出成形によって簡単に形成することができるものであるが、本願発明にあっては、スペーサブロック４が短尺に形成され、補強型材３を結合固定する部位（結合ネジ７に対応する部位）に対応して複数配設されるものであってもよく、この場合、同スペーサブロック４は合成樹脂の射出成形によって形成される。又、本願発明にあっては、スペーサブロック４によってパネル端片部２の厚みが補足されるため、上記従来の技術で示した壁パネル端部構造における補強型材３をそのまま共用することもできる。
【００２７】
【発明の効果】
上述の如く、本願発明の壁パネル端部構造においては、スペーサブロックによって厚みが補足されてパネル端片部の厚みは小さく抑えられ、このパネル端片部に同スペーサブロックを介し結合固定される断面略コ字状の補強型材によって十分な強度を確保することができる。しかも、補強型材はパネル端片部とスペーサブロックとを両側から挟持するように後方から装着固定され、その際、同パネル端片部とスペーサブロックとが係止凸片と係止凹所とで相互に係合されて、両者はこの係合だけでも位置決め固定されるため、同補強型材を簡単且つ確実に装着固定することができる。
【図面の簡単な説明】
【図１】本願発明の一実施形態である壁パネル端部構造を示す分解断面図。
【図２】同壁パネル端部構造を示す分解斜視図。
【図３】同壁パネル端部構造にドア枠が結合固定される状態を示す断面図。
【図４】従来例である壁パネル端部構造を示す分解斜視図。
【図５】同壁パネル端部構造にドア枠が結合固定される状態を示す断面図。
【符号の説明】
１  壁パネル本体
２  パネル端片部
２ａ  後端縁
３  補強型材
４  スペーサブロック
４ａ  後端部分
４ｂ  外側面
５  係止凹所
６  係止凸片
７  結合ネジ
【図１】
2005009229.tif 000003
【図２】
2005009229.tif 000004
【図３】
2005009229.tif 000005
【図４】
2005009229.tif 000006
【図５】
2005009229.tif 000007